(57)【要約】      （修正有）【課題】屋外の床面に設置されてドレインホースからのドレイン水を受けて流して排水するための、ドレイン排水溝部材において、施工が容易なドレイン排水溝部材を床材とともに設置し、ドレイン水が排水可能なドレイン排水床構造を提供する。【解決手段】ドレイン排水溝部材４１の両側部４６の外面と床材４７の縁部との距離が比較的大きい状態で、ドレイン排水部材４１の両側部４６の外面と張出部４２の裏面とで形成された空間部と床材４７の厚みが、床材４７の厚みが厚い場合には、ドレイン排水溝部材４１の裏面が床下地と載置、又は接着剤等の接合処理剤Ｇ４により貼着されるが、張出部４２の裏面と床材４７表面の間に隙間が生じることとなる。当該隙間はシーリング剤等による接合処理によって、塞ぐことにより外部からの埃や砂、水等の浸入を防ぐことができる。【選択図】図４
2007113180.tif 000002
【特許請求の範囲】
【請求項１】
屋外の床面に設置されてドレインホースからのドレイン水を受けて流して排水するための、ドレイン排水溝部材において、ドレイン水を流すための長手方向に延びた底部と両側部とから構成された排水路を有し、前記両側部から横方向に張り出した張出部が形成され、前記両側部の外面と前記張出部の裏面により空間部が形成されたことを特徴とするドレイン排水溝部材。
【請求項２】
屋外の床面に設置されてドレインホースからのドレイン水を受けて流して排水するための、ドレイン排水溝部材において、ドレイン水を流すための長手方向に延びた底部と両側部とから構成された排水路を有し、前記両側部から横方向に張り出した張出部、及び前記両側部の下縁から横方向に張り出した下縁張出部が形成され、前記両側部の外面と両側部の前記張出部の裏面、及び前記下縁張出部の表面により空間部が形成されたことを特徴とするドレイン排水溝部材。
【請求項３】
両側部の外面と張出部の裏面とのなす角度が略直角である請求項１又は２記載のドレイン排水溝部材。
【請求項４】
両側部の外面と下縁張出部の表面とのなす角度が略直角である請求項２又は３記載のドレイン排水溝部材。
【請求項５】
両側部の外面と張出部の裏面とのなす角度が鋭角である請求項１乃至３の何れか一に記載のドレイン排水溝部材。
【請求項６】
両側部の外面と張出部の裏面とから形成されたコーナー部に溝部を設けた請求項１乃至４に何れか一に記載のドレイン排水溝部材。
【請求項７】
張出部の裏面に溝部、及び／又は張出部先端に接合処理部を設けた請求項１乃至６に何れか一に記載のドレイン排水溝部材。
【請求項８】
張出部の裏面、及び／又は先端部に下方に突出したスカート部を設けた請求項１乃至７の何れか一に記載のドレイン排水溝部材。
【請求項９】
スカート部の突出方向と両側部の外面とのなす角度が鋭角である請求項８記載のドレイン排水溝部材。
【請求項１０】
排水路に上方から塞ぐための平板状の蓋部材が設けられた請求項１乃至９の何れか一に記載のドレイン排水溝部材。
【請求項１１】
蓋部材が通水部材に対して、長手方向にスライドして脱着可能となっている請求項１０に記載のドレイン排水溝部材。
【請求項１２】
排水路を形成する両側部に設けられた溝部に蓋部材の両縁部を挿入することにより、通水部材に対してスライドするようになっている請求項１１記載のドレイン排水溝部材。
【請求項１３】
排水路を形成する両側部から前記排水路の内側に向かって突出部が形成されている請求項１１、又は１２記載のドレイン排水溝部材。
【請求項１４】
蓋部材の両縁部が上向き及び／又は下向きの突部を有しており、排水路の両側部の溝部に前記突部が嵌合可能な凹部が設けられており、前記蓋部材の両縁部の突部が前記排水路の両側部の溝部に設けられた凹部に嵌合させた状態で、前記溝部に挿入されるようになっている請求項１２、又は１３記載のドレイン排水溝部材。
【請求項１５】
蓋部材の両縁部が上開き及び／又は下開きの凹部を有しており、排水路の両側部の溝部に前記凹部が嵌合可能な突部が設けられており、前記蓋部材の縁部の凹部が前記排水路の両側部の溝部に設けられた突部に嵌合させた状態で、前記溝部に挿入されるようになっている請求項１２、又は１３記載のドレイン排水溝部材。
【請求項１６】
蓋部材の縁部が、断面波形形状を有しており、排水路の両側部の溝部が、前記縁部が嵌合する断面波形形状を有しており、前記蓋部材の縁部が、波形形状同士を嵌合させた状態で、前記溝部に挿入されるようになっている請求項１２、又は１３記載のドレイン排水溝部材。
【請求項１７】
排水路を形成する両側部に設けられた溝部が、水平に対して傾斜して形成されている請求項１２記載のドレイン排水溝部材。
【請求項１８】
蓋部材の両縁部に形成された溝部に、排水路を形成する両側部に設けられた凸部を挿入することによって、通水部材に対してスライドするようになっている請求項１１記載のドレイン排水溝部材。
【請求項１９】
蓋部材の両縁部の溝部が水平に対して傾斜して形成されている、請求項１８記載のドレイン排水溝部材。
【請求項２０】
蓋部材の両縁部に設けられた溝部が上開き及び／又は下開きの凹部を有しており、排水路の両側部の凸部に前記凹部が嵌合可能な突部が設けられており、前記蓋部材の縁部の溝部の凹部が前記排水路の両側部の凸部に設けられた突部に嵌合させた状態で、前記溝部に挿入されるようになっている請求項１２、１３、１８、１９の何れか一に記載のドレイン排水溝部材。
【請求項２１】
蓋部材の両縁部に設けられた溝部が上向き及び／又は下向きの突部を有しており、排水路の両側部の凸部に前記突部が嵌合可能な凹部が設けられており、前記蓋部材の縁部の溝部の突部が前記排水路の両側部の凸部に設けられた凹部に嵌合させた状態で、前記溝部に挿入されるようになっている請求項１２、１３、１８、１９の何れか一に記載のドレイン排水溝部材。
【請求項２２】
蓋部材の縁部の溝部が、断面波形形状を有しており、排水路の前記両側部の凸部が、前記縁部が嵌合する断面波形形状を有しており、蓋部材の前記縁部が、波形形状同士を嵌合させた状態で、前記溝部に挿入されるようになっている請求項１２、１３、１８、１９の何れか一に記載のドレイン排水溝部材。
【請求項２３】
排水路が中央の幅狭領域と、その幅狭領域を含む幅広領域とを有している請求項１乃至２２の何れか一記載のドレイン排水溝部材。
【請求項２４】
排水路の底部に複数のリブを設けた請求項１乃至２３の何れか一に記載のドレイン排水溝部材。
【請求項２５】
蓋部材の裏面に複数のリブを設けた請求項１乃至２４の何れか一に記載のドレイン排水溝部材。
【請求項２６】
排水路の底面が両側から中央に向けて漸次低くなっている請求項１乃至２５の何れか一に記載のドレイン排水溝部材。
【請求項２７】
床材と、ドレインホースからのドレイン水を受けて流して排水するための、ドレイン排水溝部材とが設置されたドレイン排水床構造において、ドレイン水を流すための長手方向に延びた底部と両側部とから構成された排水路を有し、前記両側部の上縁から横方向に張り出した張出部が形成され、前記両側部の外面と前記張出部の裏面により空間部が形成されたドレイン排水溝部材を前記空間部に隣接した床材を挿設して床面に設置されたことを特徴とするドレイン排水床構造。
【請求項２８】
床材と、ドレインホースからのドレイン水を受けて流して排水するための、ドレイン排水溝部材とが設置されたドレイン排水床構造において、ドレイン水を流すための長手方向に延びた底部と両側部とから構成された排水路を有し、前記両側部の上縁から横方向に張り出した張出部、及び前記両側部の下縁から横方向に張り出した下縁張出部が形成され、前記両側部の外面と両側部の前記張出部の裏面、及び前記下縁張出部の表面により空間部が形成されたドレイン排水溝部材を前記空間部に隣接する床材を挿設して床面に設置されたことを特徴とするドレイン排水床構造。
【請求項２９】
張出部の少なくとも裏面の一部、及び／又は張出部の先端部が接合処理することにより隣接する床材と接合されている請求項２７又は２８記載のドレイン排水床構造。
【請求項３０】
両側部の外面と張出部の裏面とのなす角度が鋭角であることによって形成された空洞部の一部、又は全部に接合処理をすることにより隣接する床材と接合されている請求項２７乃至２９の何れか一に記載のドレイン排水床構造。
【請求項３１】
両側部の外面と張出部の裏面とから形成されたコーナー部に設けた溝部の一部、又は全部に接合処理をすることにより隣接する床材と接合されている請求項２７乃至３０の何れか一に記載のドレイン排水床構造。
【請求項３２】
張出部の裏面に設けた溝部の一部、又は全部に接合処理をすることにより隣接する床材と接合されている請求項２７乃至３１の何れか一に記載のドレイン排水床構造。
【請求項３３】
張出部の裏面、及び／又は張出部の先端部、に設けた下方に突出したスカート部の少なくとも先端部分の一部、又は全部に接合処理をすることにより隣接する床材と接合されている請求項２７乃至３２の何れか一に記載のドレイン排水床構造。
【請求項３４】
張出部の裏面に設けられた両側部の外面と突出方向のなす角度が鋭角であるスカート部の突出方向側、又は前記両側部の外面側と、前記張出部の裏面から形成される空間部に挿設された隣接する床材を接合処理をすることにより前記隣接する床材と接合されている請求項２７乃至３３の何れか一に記載のドレイン排水床構造。
【請求項３５】
ドレイン排水溝部材の排水路に上方から塞ぐための平板状の蓋部材が設けられた請求項２７乃至３４の何れか一に記載のドレイン排水床構造。
【請求項３６】
蓋部材が通水部材に対して、長手方向にスライドして脱着可能となっている請求項３５に記載のドレイン排水床構造。
【請求項３７】
蓋部材の両縁部に形成された溝部に、排水路を形成する両側部に設けられた凸部を挿入することによって、通水部材に対してスライドするようになっている請求項３６に記載のドレイン排水床構造。
【請求項３８】
排水路の底部に複数のリブを設けた請求項２７乃至３７何れか一に記載のドレイン排水床構造。
【請求項３９】
排水路を形成する両側部から前記排水路の内側に向かって突出部が形成されている請求項２７乃至３８の何れか一に記載のドレイン排水床構造。
【発明の詳細な説明】
【技術分野】
【０００１】
本発明は、ドレイン排水溝部材、及びドレイン排水床構造に関するものであり、より具体的にはドレイン水を受けて排水するばかりでなく、施工が容易なドレイン排水溝部材、及び前記ドレイン排水溝部材を床材とともに設置し、ドレイン水が排水可能なドレイン排水床構造に関する。
【背景技術】
【０００２】
従来、マンション等の集合住宅の共通廊下やベランダ等である屋外には、通常、冷暖房機の外機が設置されている。そして、外機からは、ドレインホースを通じてドレイン水が排出されている。
【０００３】
ところで、ドレイン水をそのまま屋外の床面に垂れ流すと、ドレイン水が床面に広がっていくため、ドレイン水の広がった場所に埃や砂等が付着し、床面に、汚れやしみができたりカビが発生したりしていた。また、ドレイン水により床面が濡れることにより、滑りやすくなり、歩行者の転倒事故が発生しやすくなり、安全性の観点からも好ましくなかった。
【０００４】
そこで、上記問題点を解決するため、ドレインホースからのドレイン水を排出するための溝状の排水路を設けたドレイン排水溝部材が提供されている（特許文献１）。また、当該ドレイン排水溝部材の改良技術として、床材との熱溶着作業を容易にするため、排水路の両側に熱溶着するための作業領域を設けたドレイン排水溝部材が提供されている（特許文献２）。
【特許文献１】特開平１０−４６７６２号公報
【特許文献２】特開２０００−１３６６０２号公報
【発明の開示】
【発明が解決しようとする課題】
【０００５】
一般にドレイン排水溝部材では、床材とともに床面に施工する際、ドレイン排水溝部材を設置する部分の床材を切り欠いて施工するか、或いは当該部分を開けて床材を施工しなければならない。上記ドレイン排水溝部材はその側面と隣接する床材とを熱溶着等の接合処理を行わなければならなかった。従って、かなり正確に計測して、ドレイン排水溝部材を設置する部分を当該ドレイン排水溝部材の幅に合わせるという施工をしなければならず、きわめて煩雑であった。  
【０００６】
また、上記ドレイン排水溝部材を設置する部分の幅が一部でも狭すぎる場合にはドレイン排水溝部材が床材間に設置できないという問題があり、一方、ドレイン排水溝部材を設置する部分の幅が一部でも広すぎる場合には床材との接合が不十分となって隙間が生じ、当該隙間から水、埃、砂等が入り込み、美観上好ましくないばかりかドレイン排水溝部材はもちろん、当該ドレイン排水溝部材と隣接する床材も剥離してくる等の問題が生じ、改善が強く望まれていた。
【課題を解決するための手段】
【０００７】
そこで、本発明は上記問題点を解決したものであり、請求項１記載の発明は、屋外の床面に設置されてドレインホースからのドレイン水を受けて流して排水するための、ドレイン排水溝部材において、ドレイン水を流すための長手方向に延びた底部と両側部とから構成された排水路を有し、前記両側部から横方向に張り出した張出部が形成され、前記両側部の外面と前記張出部の裏面により空間部が形成されたことを特徴とするドレイン排水溝部材を提供するものである。請求項１記載の発明により、排水路を構成する両側部から横方向に張り出した張出部が形成され、前記両側部の外面と前記張出部の裏面により空間部が形成されているため、床面に施工する際、前記空間部に隣接する床材の端部を挿設して施工することができる。従って、床面に本発明ドレイン排水溝部材を施工する際、厳密に幅寸法を計測し、床材間に当該ドレイン排水溝部材の施工する位置を空ける必要がないため容易に施工することができ、施工技術が未熟な作業者でも効率的に施工作業を行うことができる。尚、本明細書において、床材とは、合成樹脂、石材、又は陶器からなるタイル、又はポリ塩化ビニル樹脂、ポリオレフィン樹脂等の熱可塑性樹脂からなるシートをいう。
【０００８】
また、請求項２記載の発明は、屋外の床面に設置されてドレインホースからのドレイン水を受けて流して排水するための、ドレイン排水溝部材において、ドレイン水を流すための長手方向に延びた底部と両側部とから構成された排水路を有し、前記両側部から横方向に張り出した張出部、及び前記両側部の下縁から横方向に張り出した下縁張出部が形成され、前記両側部の外面と両側部の前記張出部の裏面、及び前記下縁張出部の表面により空間部が形成されたことを特徴とするドレイン排水溝部材を提供するものである。
【０００９】
また、請求項３記載の発明は、請求項１又は２記載の特徴に加え、両側部の外面と張出部の裏面とのなす角度が略直角であるドレイン排水溝部材を提供するものである。
【００１０】
また、請求項４記載の発明は、請求項２又は３の特徴に加え、両側部の外面と下縁張出部の表面とのなす角度が略直角であるドレイン排水溝部材を提供するものである。
【００１１】
また、請求項５記載の発明は、請求項１乃至３の何れか一に記載の特徴に加え、両側部の外面と張出部の裏面とのなす角度が鋭角であるドレイン排水溝部材を提供するものである。
【００１２】
また、請求項６記載の発明は、請求項１乃至４に何れか一に記載の特徴に加え、両側部の外面と張出部の裏面とから形成されたコーナー部に溝部を設けたドレイン排水溝部材を提供するものである。
【００１３】
また、請求項７記載の発明は、請求項１乃至６に何れか一に記載の特徴に加え、張出部裏面に溝部を設けたドレイン排水溝部材を提供するものである。
【００１４】
また、請求項８記載の発明は、請求項１乃至７に何れか一に記載の特徴に加え、張出部の裏面、及び／又は先端部に下方に突出したスカート部を設けたドレイン排水溝部材を提供するものである。
【００１５】
また、請求項９記載の発明は、請求項８に記載の特徴に加え、スカート部の突出方向と両側部の外面とのなす角度が鋭角であるドレイン排水溝部材を提供するものである。
【００１６】
また、請求項１０記載の発明は、請求項１乃至９に何れか一に記載の特徴に加え、排水路に上方から塞ぐための平板状の蓋部材が設けられたドレイン排水溝部材を提供するものである。
【００１７】
また、請求項１１記載の発明は、請求項１０記載の特徴に加え、蓋部材が通水部材に対して、長手方向にスライドして脱着可能となっているドレイン排水溝部材を提供するものである。
【００１８】
また、請求項１２記載の発明は、請求項１１に記載の特徴に加え、排水路を形成する両側部に設けられた溝部に蓋部材の両縁部を挿入することにより、通水部材に対してスライドするようになっているドレイン排水溝部材を提供するものである。
【００１９】
また、請求項１３記載の発明は、請求項１１、又は１２に記載の特徴に加え、排水路を形成する両側部から前記排水路の内側に向かって突出部が形成されている請求項１１、又は１２記載のドレイン排水溝部材を提供するものである。
【００２０】
また、請求項１４記載の発明は、請求項１２、又は１３に記載の特徴に加え、蓋部材の両縁部が上向き及び／又は下向きの突部を有しており、排水路の両側部の溝部に前記突部が嵌合可能な凹部が設けられており、前記蓋部材の両縁部の突部が前記排水路の両側部の溝部に設けられた凹部に嵌合させた状態で、前記溝部に挿入されるようになっているドレイン排水溝部材を提供するものである。
【００２１】
また、請求項１５記載の発明は、請求項１２、又は１３に記載の特徴に加え、蓋部材の両縁部が上開き及び／又は下開きの凹部を有しており、排水路の両側部の溝部に前記凹部が嵌合可能な突部が設けられており、前記蓋部材の縁部の凹部が前記排水路の両側部の溝部に設けられた突部に嵌合させた状態で、前記溝部に挿入されるようになっているドレイン排水溝部材を提供するものである。
【００２２】
また、請求項１６記載の発明は、請求項１２、又は１３に記載の特徴に加え、蓋部材の縁部が、断面波形形状を有しており、排水路の両側部の溝部が、前記縁部が嵌合する断面波形形状を有しており、前記蓋部材の縁部が、波形形状同士を嵌合させた状態で、前記溝部に挿入されるようになっている記載のドレイン排水溝部材を提供するものである。
【００２３】
また、請求項１７記載の発明は、請求項１２に記載の特徴に加え、排水路を形成する両側部に設けられた溝部が、水平に対して傾斜して形成されているドレイン排水溝部材を提供するものである。
【００２４】
また、請求項１８記載の発明は、請求項１１に記載の特徴に加え、蓋部材の両縁部に形成された溝部に、排水路を形成する両側部に設けられた凸部を挿入することによって、通水部材に対してスライドするようになっているドレイン排水溝部材を提供するものである。
【００２５】
また、請求項１９記載の発明は、請求項１８に記載の特徴に加え、蓋部材の両縁部の溝部が水平に対して傾斜して形成されているドレイン排水溝部材を提供するものである。
【００２６】
また、請求項２０記載の発明は、請求項１２、１３、１８、１９の何れか一に記載の特徴に加え、蓋部材の両縁部に設けられた溝部が上開き及び／又は下開きの凹部を有しており、排水路の両側部の凸部に前記凹部が嵌合可能な突部が設けられており、前記蓋部材の縁部の溝部の凹部が前記排水路の両側部の凸部に設けられた突部に嵌合させた状態で、前記溝部に挿入されるようになっているドレイン排水溝部材を提供するものである。
【００２７】
また、請求項２１記載の発明は、請求項１２、１３、１８、１９の何れか一に記載の特徴に加え、蓋部材の両縁部に設けられた溝部が上向き及び／又は下向きの突部を有しており、排水路の両側部の凸部に前記突部が嵌合可能な凹部が設けられており、前記蓋部材の縁部の溝部の突部が前記排水路の両側部の凸部に設けられた凹部に嵌合させた状態で、前記溝部に挿入されるようになっているドレイン排水溝部材を提供するものである。
【００２８】
また、請求項２２記載の発明は、請求項１２、１３、１８、１９の何れか一に記載の特徴に加え、蓋部材の縁部の溝部が、断面波形形状を有しており、排水路の前記両側部の凸部が、前記縁部が嵌合する断面波形形状を有しており、蓋部材の前記縁部が、波形形状同士を嵌合させた状態で、前記溝部に挿入されるようになっているドレイン排水溝部材を提供するものである。
【００２９】
また、請求項２３記載の発明は、請求項１乃至２２に何れか一に記載の特徴に加え、排水路が中央の幅狭領域と、その幅狭領域を含む幅広領域とを有しているドレイン排水溝部材を提供するものである。
【００３０】
また、請求項２４記載の発明は、請求項１乃至２３に何れか一に記載の特徴に加え、排水路の底部に複数のリブを設けたドレイン排水溝部材を提供するものである。
【００３１】
また、請求項２５記載の発明は、請求項１乃至２４に何れか一に記載の特徴に加え、蓋部材の裏面に複数のリブを設けたドレイン排水溝部材を提供するものである。
【００３２】
また、請求項２６記載の発明は、請求項１乃至２５に何れか一に記載の特徴に加え、排水路の底面が両側から中央に向けて漸次低くなっているドレイン排水溝部材提供するものである。
【００３３】
請求項２７記載の発明は、床材と、ドレインホースからのドレイン水を受けて流して排水するための、ドレイン排水溝部材とが設置されたドレイン排水床構造において、ドレイン水を流すための長手方向に延びた底部と両側部とから構成された排水路を有し、前記両側部から横方向に張り出した張出部が形成され、前記両側部の外面と前記張出部の裏面により空間部が形成されたドレイン排水溝部材を前記空間部に隣接した床材を挿設して床面に設置されたことを特徴とするドレイン排水床構造を提供するものである。
【００３４】
また、請求項２８記載の発明は、床材と、ドレインホースからのドレイン水を受けて流して排水するための、ドレイン排水溝部材とが設置されたドレイン排水床構造において、ドレイン水を流すための長手方向に延びた底部と両側部とから構成された排水路を有し、前記両側部から横方向に張り出した張出部、及び前記両側部の下縁から横方向に張り出した下縁張出部が形成され、前記両側部の外面と両側部の前記張出部の裏面、及び前記下縁張出部の表面により空間部が形成されたドレイン排水溝部材を前記空間部に隣接する床材を挿設して床面に設置されたことを特徴とするドレイン排水床構造を提供するものである。
【００３５】
また、請求項２９記載の発明は、請求項２７、又は２８の特徴に加え、張出部の少なくとも裏面の一部、及び／又は張出部の先端部が接合処理することにより隣接する床材と接合されているドレイン排水床構造を提供するものである。
【００３６】
また、請求項３０記載の発明は、請求項２７乃至２９に何れか一に記載の特徴に加え、両側部の外面と張出部の裏面とのなす角度が鋭角であることによって形成された空洞部の一部、又は全部に接合処理をすることにより隣接する床材と接合されているドレイン排水床構造を提供するものである。
【００３７】
また、請求項３１記載の発明は、請求項２７乃至３０に何れか一に記載の特徴に加え、両側部の外面と張出部の裏面とから形成されたコーナー部に設けた溝部の一部、又は全部に接合処理をすることにより隣接する床材と接合されているドレイン排水床構造を提供するものである。
【００３８】
また、請求項３２記載の発明は、請求項２７乃至３１に何れか一に記載の特徴に加え、張出部の裏面に設けた溝部の一部、又は全部に接合処理をすることにより隣接する床材と接合されているドレイン排水床構造を提供するものである。
【００３９】
また、請求項３３記載の発明は、請求項２７乃至３２に何れか一に記載の特徴に加え、張出部の裏面、及び／又は張出部の先端部、に設けた下方に突出したスカート部の少なくとも先端部分の一部、又は全部に接合処理をすることにより隣接する床材と接合されているドレイン排水床構造を提供するものである。
【００４０】
また、請求項３４記載の発明は、請求項２７乃至３３に何れか一に記載の特徴に加え、張出部の裏面に設けられた両側部の外面と突出方向のなす角度が鋭角であるスカート部の突出方向側、又は前記両側部の外面側と、前記張出部の裏面から形成される空間部に隣接する床材が挿設され、接合処理をすることにより隣接する床材と接合されているドレイン排水床構造を提供するものである。
【００４１】
また、請求項３５記載の発明は、請求項２７乃至３４に何れか一に記載の特徴に加え、ドレイン排水溝部材の排水路に上方から塞ぐための平板状の蓋部材が設けられたドレイン排水床構造を提供するものである。
【００４２】
また、請求項３６記載の発明は、請求項３５の特徴に加え、蓋部材が通水部材に対して、長手方向にスライドして脱着可能となっているドレイン排水床構造を提供するものである。
【００４３】
また、請求項３７記載の発明は、請求項３６の特徴に加え、蓋部材の両縁部に形成された溝部に、排水路を形成する両側部に設けられた凸部を挿入することによって、通水部材に対してスライドするようになっているドレイン排水床構造を提供するものである。
【００４４】
また、請求項３８記載の発明は、請求項２７乃至３７に何れか一に記載の特徴に加え、排水路の底部に複数のリブを設けたドレイン排水床構造を提供するものである。
【００４５】
また、請求項３９記載の発明は、請求項２７乃至３８に何れか一に記載の特徴に加え、排水路を形成する両側部から前記排水路の内側に向かって突出部が形成されているドレイン排水床構造を提供するものである。
【発明の効果】
【００４６】
本発明の請求項１記載の発明によれば、排水路を構成する両側部の上縁から横方向に張り出した張出部が形成され、前記両側部の外面と前記張出部の裏面により空間部が形成されているため、床面に施工する際、前記空間部に隣接する床材の端部を挿設して施工することができる。従って、床面に本発明ドレイン排水溝部材を施工する際、厳密に幅寸法を計測し、床材間に当該ドレイン排水溝部材の施工する位置を空ける必要がないため容易に施工することができ、施工技術が未熟な作業者でも効率的に施工作業を行うことができる。
【００４７】
また、床材の厚みにかかわらず、種種の床材とともに施工した場合、不自然な段差を生じることがなく美麗に施工することが可能である。従って、本発明の請求項１記載の発明によれば、床材の厚み差による段差を生じることはなく、施工後の仕上がりも良好であることに加え、床材とドレイン排水溝部材との組み合わせの自由度が飛躍的に向上させることができる。
【００４８】
本発明の請求項２記載の発明によれば、排水路を構成する両側部の上縁から横方向に張り出した張出部、及び前記両側部の下縁から横方向に張り出した下縁張出部が形成され、前記両側部の外面と両側部の前記張出部の裏面、及び前記下縁張出部の表面により空間部が形成されているため、床面に施工する際、前記空間部に隣接する床材の端部を挿設して施工することができる。従って、床面に本発明ドレイン排水溝部材を施工する際、厳密に幅寸法を計測し、床材間に当該ドレイン排水溝部材の施工する位置を空ける必要がないため容易に施工することができ、施工技術が未熟な作業者でも効率的に施工作業を行うことができる。
【００４９】
また、万一、床材と本発明ドレイン排水溝部材の継ぎ目部分から水が浸入したとしても、上記下縁張出部により、浸入した水が床材、及びドレイン排水溝部材と床下地の界面まで到達しにくいので、床材、及びドレイン排水溝部材が上記浸入した水によって剥離するという現象を未然に防止することができる。さらに、ドレイン排水溝部材も前記下縁張出部によって安定的に床面に固定することができる。
【００５０】
請求項３記載の発明によれば、両側部の外面と張出部の裏面とのなす角度が略直角であるため、隣接する床材を前記張出部と両側部の外面で形成される空間部に挿設しやすくなり、安定的に床材と接合し固定することができる。
【００５１】
請求項４記載の発明によれば、両側部の外面と下縁張出部の表面とのなす角度が略直角であるため、隣接する床材を前記下縁張出部と両側部の外面で形成される空間部に挿設しやすくなり、安定的に床材と接合し固定することができる。
【００５２】
請求項５記載の発明によれば、両側部の外面と張出部の裏面とのなす角度が鋭角であることにより、両側部の外面と張出部の裏面とから形成された空間部に床材を挿設したときに当該床材表面と前記張出部の裏面により空間部を形成することができ、当該空間部に、シーリング材等の接合処理剤を充填することが可能となり、床材との接合の安定性、及び床材とドレイン排水溝部材の継ぎ目からの水等の浸入をより有効に防止することができる。尚、本明細書において、接合処理とは、接着剤による貼着処理、シーリング剤による貼着処理、シーム液による貼着処理、熱溶着処理のうちの少なくとも一以上をいうものとする。また、接合処理剤とは、前記接合処理に使用する処理剤をいうものとし、具体的には接着剤、シーリング剤、シーム液、熱溶着処理にあっては、熱溶着処理に使用する溶接棒をいうものとする。
【００５３】
請求項６記載の発明によれば、両側部の外面と張出部の裏面とから形成されたコーナー部に設けた溝部に、シーリング材等の接合処理剤を充填することが可能となり、床材との接合の安定性、及び床材とドレイン排水溝部材の継ぎ目からの水等の浸入をより有効に防止することができる。
【００５４】
請求項７記載の発明によれば、張出部の裏面に設けた溝部にシーリング材等の接合処理剤を充填することが可能となり、床材との接合の安定性、及び床材とドレイン排水溝部材の継ぎ目からの水等の浸入をより有効に防止することができる。
【００５５】
請求項８記載の発明によれば、張出部の裏面、及び／又は先端部に下方に突出するように設けたスカート部を利用して接合処理を行うことにより、本発明ドレイン排水溝部材と床材との継ぎ目から水等の浸入を有効に防止することができる。スカート部は凹凸に対する追従性を有しているため、シーム液によって容易かつ迅速に水密的に接合させることが可能であり、スカート部と床材表面との接合部にシーリング処理、又は接着剤で貼着させても同様な効果を得ることができる。
【００５６】
請求項９記載の発明によれば、スカート部の突出方向と両側部の外面とのなす角度が鋭角であるため、施工する際、スカート部が張出部の先端方向に向かって床材表面と追従するため、接合処理がよりしやすくなるという利点がある。
【００５７】
請求項１０記載の発明によれば、排水路に上方から塞ぐための平板状の蓋部材が設けられているため、ドレイン水が風で吹き飛ばされて床面を濡らせてしまうことがなく、加えて、排水路に埃や砂等が溜まることがない。従って、円滑なドレイン水の排水が確保されるとともに、排水路に溜まる埃や砂等の除去のためのメンテナンス作業の労力負担が極めて軽減される。
【００５８】
請求項１１記載の発明によれば、蓋部材が通水部材に対して、長手方向にスライドして脱着可能となっているため、容易に蓋部材の着脱が可能である。また、長年の使用により、排水路が詰まった場合には、蓋部材をスライドさせることにより、取り外すことができるため、メンテナンス作業が非常に容易に行うことができる。さらに、蓋部材の交換作業等も容易かつ迅速に行うことができる。
【００５９】
請求項１２記載の発明によれば、排水路を形成する両側部に設けられた溝部に蓋部材を挿入することにより、通水部材に対してスライドするようになっているため、簡単な構造で蓋部材の脱着が安定的に可能となる。また、蓋部材の両縁部が通水部材の排水路の両側部の溝部に挿入された状態で、蓋部材が通水部材に取り付けられるので、蓋部材は利用者の通常の歩行によっても外れにくいという効果を奏することができる。さらに、蓋部材の両縁部と通水部材の排水路の両側部の溝部との間には蓋部材と通水部材としての遊びが存在しているため、蓋部材の脱着が困難になることはなく、さらには、脱着を繰り返してもスライドが困難になったり、蓋部材が外れやすくなることはない。また、部材が経時的に変化しても、遊びがその変形を吸収することができるので、蓋部材のスライドが不可能になることはない。さらに、部材の可撓性の大小にかかわらず、蓋部材のスライドを円滑に行うことができる。尚、本明細書において、通水部材とは、本発明ドレイン排水溝部材可能な蓋部材を有する実施形態において、排水路を有する部材をいうものとする。
【００６０】
請求項１３記載の発明によれば、排水路を流れるドレイン水がスライド部分、即ち、両側部に設けられた溝部から溢れ出すのを、突出部によって効果的に防止できる。
【００６１】
しかも、上記突出部が蓋部材の両縁部を支持しているので、通水部材に対する蓋部材の装着安定性を向上させ、また、蓋部材が踏まれた場合の凹み具合を低減することができる。
【００６２】
請求項１４、１５、または１６記載の発明によれば、スライド部分における蓋部材と通水部材との装着状態を安定させることができ、また、ドレイン水がスライド部分から漏れて溢れ出すのを防止することができる。
【００６３】
請求項１７記載の発明によれば、排水路を形成する両側部に設けられた溝部が、水平に対して傾斜して形成されているため、前記溝部が傾斜している分だけ蓋部材に応力が働くので、上からの踏圧等の圧力に対する強度を向上させることができる。
【００６４】
請求項１８記載の発明によれば、蓋部材の両縁部に形成された溝部に、排水路を形成する両側部に設けられた凸部を挿入することによって、通水部材に対してスライドするようになっているため、蓋部材を簡単な構成によって、安定して通水部材に対してスライドさせることができる。また、蓋部材の両縁部の溝部に通水部材の排水路の両側部の凸部が挿入された状態で蓋部材が通水部材に取り付けられるので、蓋部材は利用者の歩行によっても外れにくい。また、蓋部材の両縁部の溝部と通水部材の排水路の両側の凸部との間には、蓋部材を通水部材に対してスライドさせるために、遊びが存在しているため、さらに、蓋部材の両縁部と通水部材の排水路の両側部の溝部との間には蓋部材と通水部材としての遊びが存在しているため、蓋部材の脱着が困難になることはなく、さらには、脱着を繰り返してもスライドが困難になったり、蓋部材が外れやすくなることはない。また、部材が経時的に変化しても、遊びがその変形を吸収することができるので、蓋部材のスライドが不可能になることはない。さらに、部材の可撓性の大小にかかわらず、蓋部材のスライドを円滑に行うことができる。
【００６５】
請求項１９記載の発明によれば、蓋部材の両縁部の溝部が水平に対して傾斜して形成されているため、当該傾斜によって生じる蓋部材に働く応力により、蓋部材のスライドをより安定的にすることができる。
【００６６】
請求項２０、２１、又は２２記載の発明によれば、スライド部分における蓋部材と通水部材との装着状態を安定させることができ、また、ドレイン水がスライド部分から漏れて溢れ出すのを防止することができる。
【００６７】
請求項２３記載の発明によれば、ドレイン水が少ない場合にはドレイン水を幅狭領域に流し、ドレイン水が多い場合にはドレイン水を幅広領域に流すことにより、排水路が不必要に広く使用されるのを回避できる。従って、メンテナンスの領域も小さくなり、メンテナンスの労力負担を軽減することができる。
【００６８】
請求項２４記載の発明によれば、排水路の底部に設けられたリブによって下方から蓋部材を支持することができるため、蓋部材の上方から加わる踏圧等の圧力に対する前記蓋部材の変形等を有効に防止することができる。さらに、前記リブがドレイン水の導水機能も果たすため、円滑にドレイン水を排水することができる。
【００６９】
請求項２５記載の発明によれば、蓋部材の裏面に設けられたリブによって下方から蓋部材を支持することができるため、請求項２４記載の発明と同様、蓋部材の上方から加わる踏圧等の圧力に対する前記蓋部材の変形等を有効に防止することができる。さらに、前記リブがドレイン水に達する程度の長さを有する場合には、ドレイン水の導水機能も果たすため、円滑にドレイン水を排水することができる。
【００７０】
請求項２６記載の発明によれば、ドレイン水を排水路の中央に集めて効率よく導水することができる。
【００７１】
請求項２７記載の発明によれば、ドレイン排水溝部材の通水部材の両側部と隣接する床材の縁部との間に隙間があっても張出部によって当該隙間を塞ぐことができる。従って、床面への施工の際、ドレイン排水溝部材と床材との間の正確な寸法合わせが不要となり、施工作業性を向上させることができる。
【００７２】
請求項２８記載の発明によれば、ドレイン排水溝部材の通水部材の両側部と隣接する床材の縁部との間に隙間があっても張出部によって当該隙間を塞ぐことができることに加え、下縁張出部によって隣接する床材との接合安定性、及びドレイン排水溝部材と床材との間から水等が浸入したとしても床下地と接着剤との界面に当該水等が達することを防止できるため、施工後に浸入した水等が原因となる剥離等は起こらず、施工後の施工安定性を向上させることができる。
【００７３】
請求項２９記載の発明によれば、張出部の少なくとも裏面の一部、及び／又は張出部の先端部が接合処理により隣接する床材と接合されているため、床材との接合を強化することができる。さらに、張出部の裏面の全面、又は張出部の全先端部が接合処理により接合されている場合には、床材との接合を強化することができることに加え、外部からの水等の浸入を防止することができ、施工後の施工安定性を向上させることができる。
【００７４】
請求項３０記載の発明によれば、両側部の外面と張出部の裏面とのなす角度が鋭角であることによって形成された空洞部の一部、又は全部に接合処理をすることにより隣接する床材と接合され、前記空洞部によって、より多くの接合処理剤を当該空洞部に充填することができるため、床材との接合をより強化することができる。さらに、両側部の外面と張出部の裏面とのなす角度が鋭角であることによって形成された空洞部の全部に接合処理をすることにより隣接する床材と接合されている場合には、前記空洞部によって、より多くの接合処理剤を充填することができるため、より有効に外部からの水等の浸入を防止することができ、施工後の施工安定性を飛躍的に向上させることができる。
【００７５】
請求項３１記載の発明によれば、両側部の外面と張出部の裏面とから形成されたコーナー部に設けた溝部の一部、又は全部に接合処理をすることにより隣接する床材と接合され、前記溝部によって、より多くの接合材を当該溝部に充填することができるため、床材との接合をより強化することができる。さらに、両側部の外面と張出部の裏面とから形成されたコーナー部に設けた溝部の全部に接合処理をすることにより隣接する床材と接合されている場合には、前記溝部によって、より多くの接合材を充填することができるため、より有効に外部からの水等の浸入を防止することができ、施工後の施工安定性を飛躍的に向上させることができる。
【００７６】
請求項３２記載の発明によれば、張出部の裏面に設けた溝部の一部、又は全部に接合処理をすることにより隣接する床材と接合されているため、前記溝部によって、より多くの接合処理剤を当該溝部に充填することができるため、床材との接合をより強化することができる。さらに、張出部の裏面に設けた溝部の全部に接合処理をすることにより隣接する床材と接合されている場合には、前記溝部によって、より多くの接合材を充填することができるため、より有効に外部からの水等の浸入を防止することができ、施工後の施工安定性を飛躍的に向上させることができる。
【００７７】
請求項３３記載の発明によれば、張出部の裏面、及び／又は張出部の先端部、に設けた下方に突出したスカート部の少なくとも先端部分の一部、又は全部に接合処理をすることにより隣接する床材と接合されているため、前記スカート部の凹凸への追従性、及びスカート部への接合処理により、より隣接する床材との接合を強化することができ、加えて、前記スカート部により、張出部と床材の継ぎ目部分から埃や砂等の進入を最小限に抑止することができる。さらに、張出部の裏面、及び／又は張出部の先端部、に設けた下方に突出したスカート部の少なくとも先端部分の全部に接合処理をすることにより隣接する床材と接合されている場合には、張出部と床材との継ぎ目部分の隙間を網羅的に塞ぐことができるため、外部からの埃や砂等のみならず、水等の浸入もより有効に防止することができ、施工後の施工安定性を飛躍的に向上させることができる。
【００７８】
請求項３４記載の発明によれば、張出部の裏面に設けられた両側部の外面と突出方向のなす角度が鋭角であるスカート部の突出方向側、又は前記両側部の外面側と、前記張出部の裏面から形成される空間部に接合処理をすることにより隣接する床材と接合されているため、前記空間部に接合処理剤を使用することによって、より隣接する床材との接合を強化することができ、加えて、前記スカート部、及び接合処理剤により、張出部と床材の継ぎ目部分への外部からの埃や砂等のみならず、水等の浸入もより有効に防止することができ、施工後の施工安定性を飛躍的に向上させることができる。
【００７９】
請求項３５記載の発明によれば、ドレイン排水溝部材の排水路に上方から塞ぐための平板状の蓋部材が設けられているため、ドレイン水が風で吹き飛ばされて床面を濡らせてしまうことがなく、加えて、外部から運ばれてきた排水路に埃や砂等が溜まることがない。従って、円滑なドレイン水の排水が確保されるとともに、排水路に溜まる埃や砂等の除去のためのメンテナンス作業の労力負担が極めて軽減される。
【００８０】
請求項３６記載の発明によれば、蓋部材が通水部材に対して、長手方向にスライドして脱着可能となっているため、容易に蓋部材の着脱が可能である。また、長年の使用により、排水路が詰まった場合には、蓋部材をスライドさせることにより、取り外すことができるため、メンテナンス作業が非常に容易に行うことができる。さらに、蓋部材の交換作業等も容易かつ迅速に行うことができる。
【００８１】
請求項３７記載の発明によれば、蓋部材の両縁部に形成された溝部に、排水路を形成する両側部に設けられた凸部を挿入することによって、通水部材に対してスライドするようになっているため、簡単な構造で蓋部材の脱着が安定的に可能となる。また、蓋部材の両縁部に形成された溝部に、通水部材の排水路の両側部に設けられた凸部を挿入された状態で、蓋部材が通水部材に取り付けられるので、蓋部材は利用者の通常の歩行によっても外れにくいという効果を奏することができる。さらに、蓋部材の両縁部に形成された溝部と通水部材の排水路の両側部に形成された凸部との間には蓋部材と通水部材としての遊びが存在しているため、蓋部材の脱着が困難になることはなく、さらには、脱着を繰り返してもスライドが困難になったり、蓋部材が外れやすくなることはない。また、部材が経時的に変化しても、遊びがその変形を吸収することができるので、蓋部材のスライドが不可能になることはない。さらに、部材の可撓性の大小にかかわらず、蓋部材のスライドを円滑に行うことができる。
【００８２】
請求項３８記載の発明によれば、排水路の底部に複数のリブを設けたによって下方から蓋部材を支持することができるため、蓋部材の上方から加わる踏圧等の圧力に対する前記蓋部材の変形等を有効に防止することができる。さらに、前記リブがドレイン水の導水機能も果たすため、円滑にドレイン水を排水することができる。
【００８３】
請求項３９記載の発明によれば、排水路を流れるドレイン水がスライド部分から溢れ出すのを、突出部によって効果的に防止できる。しかも、上記突出部が蓋部材の両縁部を支持しているので、通水部材に対する蓋部材の装着安定性を向上させ、また、蓋部材が踏まれた場合の凹み具合を低減することができる。
【発明を実施するための最良の形態】
【００８４】
以下、本発明を実施するための最良の形態について図面を参照しつつ詳述する。図１は本発明ドレイン排水溝部材の一例のドレイン排水床構造の部分斜視図を示すものである。両側部６、６‘と底部３によって排水路４が形成されている。また、両側部６，６’から横方向に張り出した張出部２，２‘が形成されている。前記両側部６，６’の外面と張出部２，２‘の裏面とから形成された空間部に隣接している床材５，５’が挿設されている。尚、図１において、本発明ドレイン排水溝部材１と隣接している床材５、５‘の表面のエンボスは省略してある。また、図２は本発明ドレイン排水溝部材の一例の断面図を示すものである。図２に示すように、本発明ドレイン排水溝部材２１は両側部２６、２６‘と底部２４から排水路２３が形成されている。また、前記両側部２６、２６’から横方向に張出部２２、２２‘が形成されている。さらに、本発明ドレイン排水溝部材２１に形成されている張出部２２、２２’の裏面と両側部２６、２６‘の外面により空間部２７、２７’が形成されている。
【００８５】
本発明ドレイン排水溝部材２１を構成する素材はポリ塩化ビニル樹脂、ポリエチレン樹脂、ポリエステル樹脂、又はエチレン−酢酸ビニル共重合樹脂等の熱可塑性樹脂の他、フェノール樹脂、メラミン樹脂等の熱硬化性樹脂、及びＳＢＲ、ＣＲ等の熱可塑性エラストマー、さらには、金属類、セラミクスであってもよい。また、運送時、及び施工時の取り扱いの容易性の見地から、可撓性を付与できる素材、例えば、ポリ塩化ビニル樹脂、ポリエチレン樹脂、又はポリ塩化ビニル樹脂、若しくはポリエチレン樹脂とエチレン−酢酸ビニル共重合樹脂を混合した樹脂や熱可塑性エラストマーが好ましく用いることができる。
【００８６】
本発明ドレイン排水溝部材２１に形成されている張出部２２、２２‘は前記空間部が形成されていればよく、必ずしも両側部２６、２６’の上縁から形成される必要はない。また、本発明ドレイン排水溝部材２１の張出部２２、２２‘の幅は、上記空間部が形成されていれば特に限定はされないが、施工時に床材を当該空間部に床材を挿設し、安定的に設置するという観点から、２ｍｍ〜５０ｍｍであることが好ましく、さらに、５ｍｍ〜２０ｍｍがより好ましい。
【００８７】
図３に本発明ドレイン排水溝部材を床材とともに施工した排水床構造の一例の部分断面図を示す。図３に示すように、張出部３２、３２‘の裏面と両側部３６、３６’の外面とから形成される空間部に床材３７、３７’が挿設される。本発明ドレイン排水溝部材３１は施工の際、施工後の剥離、離脱等防止の観点から、少なくとも本発明ドレイン排水溝部材３１の底部３４の裏面、即ち、床下地と接している部分は接着剤、粘着剤、両面テープ等の貼着剤で貼着しておくことが好ましいが、歩行量等の使用条件によって、底部３４の裏面について部分的に貼着剤で貼着してもよいし、また、全面的に貼着剤で貼着してもよい。ここで床下地とは一般的に使用される床下地をいい、例えば、モルタル、コンクリート、木床等を意味する。
【００８８】
また、好ましくは、本発明ドレイン排水溝部材３１の底部３４の裏面を貼着剤で貼着することに加え、両側部３６、３６‘の外面と床材の縁部の間を接着剤、粘着剤、両面テープといった貼着剤で貼着、又はシーリング剤を充填する、若しくはシーム液で処理する、等の接合処理をし、さらに好ましくは、張出部３２、３２’の裏面と当該裏面に相対する床材の表面を上記と同様に接合処理をする。尚、本明細書において、接合処理とは、接着剤、粘着剤、両面テープといった貼着剤で貼着、又はシーリング剤を充填する、若しくはシーム液で処理する、等を言うものとする。Ｇ３は接合処理した接合処理剤を示す。本明細書において、接合処理剤とは接着剤、粘着剤、両面テープといった貼着剤、シーリング剤、及びシーム液をいうものとする。
【００８９】
本発明ドレイン排水溝部材３１の施工後、両側部３６、３６‘の外面と床材の縁部を接合処理すれば、張出部３２、３２’と床材の隙間から、外部からの埃や砂等が浸入を防止し、さらには水等が浸入して底部３４の裏面と床下地まで達することによる剥離等の問題を未然に防止することができる。さらに、本発明ドレイン排水溝部材３１の張出部３２、３２’の裏面と当該裏面と相対する床材表面とを接合処理することにより、より完全に外部からの埃、砂、水等の浸入を防止することができる。さらに、本発明ドレイン排水溝部材３１の張出部３２、３２’と床材の隙間を塞ぐ手段として、溶接棒等により熱溶着する方法を用いてもよい。但し、上記接合処理も歩行量、埃、砂、水等の持込み量、又は暴露の程度によって、部分的に接合処理を行ってもよいし、全面的に接合処理を行ってもよい。
【００９０】
また、本発明ドレイン排水溝部材は張出部裏面と両側部の外面とによって形成される空間部に床材が挿設され、両側部の外面、及び／又は張出部裏面により、床材と貼着、固定することができる。図４、及び５は前記空間部に床材が挿設された一例の本発明ドレイン排水床構造の部分断面図を示す。図４は本発明ドレイン排水溝部材４１の両側部４６の外面と床材４７の縁部との距離ｌが比較的大きい状態を示しており、図５は本発明ドレイン排水溝部材５１の両側部５６の外面と床材５７の縁部との距離が小さい状態を示している。図４、及び５に示すように、本発明ドレイン排水溝部材は床材の縁部と両側部外面との距離につき、ばらつきが生じても、対応することができる。即ち、本発明ドレイン排水溝部材を施工する際、従来のドレイン排水溝部材のように、精密に幅取りを行なって施工すべき部分の床材間にドレイン排水溝部材の施工すべき部分を設ける必要がない。従って、本発明ドレイン排水溝部材は従来のドレイン排水溝部材と比較して、容易かつ迅速に施工することができ、施工の熟練も従来のドレイン排水溝部材ほど必要としない。尚、参考までに図１９に従来のドレイン排水溝部材の床材との一例のドレイン排水床構造の部分断面図を示す。
【００９１】
また、図４、５は厚みの異なる床材の一例のドレイン排水床構造の部分断面図をも示している。図４は両側部の外面と張出部の裏面とで形成された空間部の高さと略同じ厚みを有する床材を施工した状態の部分断面図を示し、図５は両側部の外面と張出部の裏面とで形成された空間部の高さより大きい厚みを有する床材を施工した状態の部分断面図を示している。図５に示すように、前記空間部の高さより、床材の厚みが厚い場合には、本発明ドレイン排水溝部材の張出部５２が床材間に橋設される状態で施工される。また、図４に示すように、前記空間部と床材の厚みが略同等の場合には、床材４７の表面と張出部４２の裏面とが接合処理されるとともに、本発明ドレイン排水溝部材４１の底面の裏面と床下地が載置、又は接着剤等の接合処理剤により貼着される。さらに、前記空間部の高さより、床材の厚みが厚い場合には、本発明ドレイン排水溝部材の裏面が床下地と載置、又は接着剤等の接合処理剤により貼着されるが、前記張出部裏面と床材表面の間に隙間が生じることとなる。当該隙間はシーリング剤等による接合処理によって、塞ぐことにより外部からの埃や砂、水等の浸入を防ぐことができる。従って、本発明ドレイン排水溝部材は隣接する床材の厚さにかかわらず、施工可能であり、床材との施工の自由度が従来のドレイン排水溝部材と比較して向上させることができる。
【００９２】
また、本発明ドレイン排水溝部材において、両側部の下縁から横方向に張り出した下縁張出部を形成してもよい。図６は本発明ドレイン排水溝部材の他の実施形態である下縁張出部を設けた一例の部分断面図を示す。図６で一例として示すように、両側部６６の上縁から張出部６２が、両側部６６の下縁から下縁張出部６８が形成されている。前記張出部６２の裏面、前記下縁張出部６８の上面、及び両側部６６の外面が空間部６７を形成している。床面に施工の際、前記空洞部６７に床材が挿設される。本発明ドレイン排水溝部材６１を施工する際には、床下地と底面６４の裏面、及び／又は下縁張出部６８の裏面に接着剤、粘着剤、両面テープ等の接合処理剤により、全面的、又は部分的に適宜使用条件に応じて、接合処理することができる。
【００９３】
また、図７に本発明ドレイン排水溝部材の他の実施形態の一例のドレイン排水床構造の部分断面図を示す。図７に示すように、施工の際には張出部７２の裏面、両側部７６の外面、及び下縁張出部７８の上面によって形成される空間部に床材７７が挿設される。
【００９４】
前記下縁張出部７８の厚みが大きすぎると前記空間部に床材を挿設したとき、当該挿設されることによる床材７７のひずみが大きくなり、本発明ドレイン排水溝部材７１の前記ひずみに起因する張出部７２の変形や床材７７自体の部分的な剥離を生ずることがある。従って、下縁張出部７８の最大の厚みは０．１ｍｍ〜１．５ｍｍが好ましく、さらに、０．３ｍｍ〜０．８ｍｍがより好ましい。
【００９５】
また、前記下縁張出部７８の幅、即ち、両側部７６の外面から下縁張出部７８の先端部までの張り出している長さは、とくに施工時、運搬時に支障がなければ限定はされない。また、必ずしも張出部７２の幅と同等の幅である必要はない。たとえ前記下縁張出部７８の幅が小さくとも当該下縁張出部７８の存在により、床下地との接地面積が大きくなるため、本発明ドレイン排水溝部材７１と床下地との貼着安定性を向上させることが可能であり、加えて、張出部７２の裏面側に形成されている空間部に挿設された床材７７との接地面積も大きくなり、又は接合処理剤Ｇ７の充填等を行った際には、当該接合処理剤Ｇ７と本発明ドレイン排水溝部材７１との貼着面積が大きくなるため、本発明ドレイン排水溝部材７１、及び床材間の貼着安定性も向上させることができるからである。
【００９６】
前記空間部に挿設された床材７７と、本発明ドレイン排水溝部材７１の下縁張出部７８、両側部７６の外面、及び張出部７２の裏面との間隙を接着剤、シーリング剤、さらには、シーム液によって接合処理をして前記隙間を塞ぎ、かつ床材７７と本発明ドレイン排水溝部材７１とを貼着、固定してもよい。前記接合処理は部分的に行ってもよいし、全面的に行ってもよく、床材７７や本発明ドレイン排水溝部材７１の使用状態により適宜選択するとよい。また、本発明ドレイン排水溝部材７１は下縁張出部７８により、床下地との貼着面積、及び床材７７との貼着面積を大きくすることができるため、施工安定性が向上し、施工後に剥離等の問題が生じることは少ない。さらに、本発明ドレイン排水溝部材７１に設けられた下縁張出部７８により、接合処理可能な部位が大きくなるため、外部から浸入する埃、砂、水等をより有効かつ完全に防止することもできる。
【００９７】
また、本発明ドレイン排水溝部材は図１で示すように両側部の外面と張出部の裏面とのなす角度が略直角になるように設けてもよい。前記両側部の外面と前記張出部の裏面とのなす角度が略直角に設けることにより、床材を本発明ドレイン排水溝部材の両側部の外面と張出部の裏面とによって形成される空間部に挿設する際、床材の縁部が略直角であることが多いことから、前記空間部に床材をより挿設しやすくなる観点から好ましい。
【００９８】
また、本発明ドレイン排水溝部材に下縁張出部を設ける実施形態の場合も上記と同様に、両側部の外面と下縁張出部の表面とのなす角度を略直角になるように設けてもよい（図示せず）。前記両側部の外面と前記下縁張出部の裏面とのなす角度が略直角に設けることにより、床材を本発明ドレイン排水溝部材の両側部の外面と下縁張出部の裏面とによって形成される空間部に挿設する際、床材の縁部が略直角であることが多いことから、前記空間部に床材をより挿設しやすくなる観点から好ましい。
【００９９】
また、本発明ドレイン排水部材の他の実施形態として、両側部の外面と張出部の表面とのなす角度が鋭角にしてもよい。図８は本発明ドレイン排水溝部材の他の実施形態である両側部の外面と張出部の裏面とのなす角度が鋭角にした一例の部分断面図を示す。図８に示すように、両側部８６の外面と張出部８２の裏面とのなす角度が鋭角、即ち、９０°未満になっている。さらに、図９に両側部の外面と張出部の裏面とのなす角度が鋭角にした本発明ドレイン排水溝部材の床材との一例のドレイン排水床構造の部分断面図を示す。
【０１００】
図９に示すように、前記両側部９６の外面と張出部９２の裏面とのなす角度が鋭角になっているため、床材９７を挿設したときに床材９７の表面と張出部９２の裏面との間に空間部が形成される。当該空間部により、シーリング等による接合処理がしやすくなり、加えてより多くの接合処理剤を充填することができるため、埃や砂、水等の浸入を効果的に防止することができる。尚、接合処理の作業性等の見地から、両側部９６の外面と張出部９２の裏面とのなす角度としては５５°〜８８°が好ましく、６５°〜８５°がより好ましい。
【０１０１】
また、本発明ドレイン排水溝部材の他の実施形態として、両側部の外面と張出部の裏面とから形成されたコーナー部に溝部を設けてもよい。図１０は本発明ドレイン排水溝部材の他の実施形態である両側部の外面と張出部の裏面とから形成されたコーナー部に溝部を設けた一例の部分断面図を示す。図１０で示すように、両側部１０６の外面と張出部１０２の裏面とから形成されたコーナー部に溝部Ｄ１０が設けられている。図１１に両側部の外面と張出部の裏面とから形成されたコーナー部に溝部を設けた本発明ドレイン排水溝部材に床材が挿設された一例のドレイン排水床構造の部分断面図を示す。図１１に示すように、本発明ドレイン排水溝部材１１１の空間部に床材１１７を挿設する場合、図１０に示す溝部Ｄ１０に接合処理の際、シーリング剤等を充填することができるため、非常に接合処理がしやすくなる。加えて、前記溝部Ｄ１０にシーリング剤等を充填することができるため、より安定的に本発明ドレイン排水溝部材１１１と床材を接合、固定することができる。また、前記溝部Ｄ１０に接合処理剤を部分的に充填して接合処理を行うか、全面的に充填して接合処理を行うかは本発明ドレイン排水溝部材１１１、及び当該部材とともに施工する床材の使用状態により、任意に選択することができる。さらに、前記溝部Ｄ１０に接合処理剤を充填するとともに、張出部１１２の裏面と床材１１７の表面の間隙に部分的、又は全面的に接合処理剤を充填してもよい。
【０１０２】
また、本発明ドレイン排水溝部材の他の実施形態として、張出部の裏面に図１０に示す溝部Ｄ１０と同様の溝部を設けてもよい（図示せず）。本発明ドレイン排水溝部材の空間部に挿設する場合、前記溝部に接合処理の際、シーリング剤等を充填することができるため、非常に接合処理がしやすくなる。加えて、前記溝部にシーリング剤等を充填することができるため、より安定的に本発明ドレイン排水溝部材と床材を接合、固定することができる。本発明ドレイン排水溝部材に設ける溝部は例えば、図１０、１１に示すような比較的小さな溝を一又は二以上設けてもよいし、大きな一つの大きな溝部を設けてもよい。さらに、図１０に示すような張出部の裏面と両側部の外面とのコーナー部の溝部を前記溝部に加えて設けてもよい。
【０１０３】
また、前記溝部に接合処理剤を部分的に充填して接合処理を行うか、全面的に充填して接合処理を行うかは本発明ドレイン排水溝部材、及び当該部材とともに施工する床材の使用状態により、任意に選択することができる。さらに、前記溝部に接合処理剤を充填するとともに、張出部の裏面と床材の表面の間隙に部分的、又は全面的に接合処理剤を充填してもよい。また、張出部裏面と両側部外面とから形成されるコーナー部に設けた溝部と比較して、本発明ドレイン排水溝部材の実施形態では張出部先端により近い位置に溝部が存在するために、より接合処理の際、接合処理剤の充填作業がしやすく、かつ埃や砂、水等の浸入をより手前で確実に阻止することができる点で有効である。
【０１０４】
また、張出部先端に接合処理部を設けてもよい。図２０に本発明ドレイン排水溝部材の他の実施形態である張出部先端に接合処理部を設けた一例の部分断面図を示す。また、図２１に張出部先端に接合処理部を設けた他の実施形態の本発明ドレイン排水溝部材と床材との一例のドレイン排水床構造の部分断面図を示す。前記接合処理部２０８は張出部２０２の先端にシーリング剤等による接合処理をするため部分であり、接合処理に使用する接合処理剤が溜まりやすい構造を有している。具体的構造としては、図２０に示すように、張出部２０２の先端部に接合処理部２０８が設けられている。前記接合処理部２０８は図２０においては、前記張出部２０２から上方へ立ち上がる小さな面として示されているが、図示するような、小さな面でなくとも先端部に溝部を設けて接合処理部としたものでもよい。尚、前記接合処理部は接合処理剤を溜まりやすくし、より接合処理を行いやすくするためのものであることから、図２０に示す接合処理部の場合、当該接合処理部の幅ｗ２０は０．５ｍｍ〜５ｍｍが好ましく、１ｍｍ〜２ｍｍがさらに好ましい。また、本実施形態では、接合処理剤が溜まりやすい構造を有しているため、接合処理が容易であり、加えて接合処理がより確実に行うことができる。接合処理部に接合処理することにより、シーリング剤等の接合処理剤Ｇ２１により、張出部２１２の裏面と床材２１７の表面との間隙を塞ぐことができる。
【０１０５】
また、本発明ドレイン排水溝部材の他の実施形態として、張出部の裏面、及び／又は先端部に下方に突出したスカート部を設けてもよい。図１２に本発明ドレイン排水溝部材の他の実施形態として、張出部の裏面に下方に突出したスカート部を設けた一例の部分断面図を示す。図１２で示すように、張出部１２２の裏面にスカート部Ｓ１２が設けられている。当該スカート部Ｓ１２は空間部１２７に挿設された床材の表面が平滑である場合にはさほど前記スカート部Ｓ１２に可撓性は必ずしも必要はない。しかしながら、挿設される床材の表面がエンボス等の凹凸を有している場合には、前記スカート部に可撓性を有するようにすることで、当該凹凸に追従させることができるため、前記床材と張出部１２２との隙間を最小限に抑えることができ、さらに、シーリング剤等により接合処理を行うことにより、より確実に前記隙間を塞ぐことができる。また、可撓性を有するスカート部Ｓ１２は空間部１２７に挿設される床材の表面の凹凸状態にかかわらず、床材と張出部１２２との隙間を最小限に抑えることができるという観点から好ましい。
【０１０６】
上述したように、前記スカート部Ｓ１２は床材表面の凹凸に追従可能な程度の可撓性を有していることが好ましい。図１３に張出部の裏面に下方に突出したスカート部を設けた本発明ドレイン排水溝部材と床材との一例のドレイン排水床構造の部分断面図を示す。本発明ドレイン排水溝部材について、接合処理を行う際、スカート部Ｓ１３の外側部、即ち、張出部１３２の先端部に近い側にシーリング剤等の充填処理等の接合処理をしてもよいし、スカート部Ｓ１３の内側部、即ち、張出部１３２の両側部外面に近い側にシーリング剤等の充填処理等の接合処理をしてもよい。図１３においては、スカート部Ｓ１３の外側部に設けられた接合処理剤をＧ１３、スカート部Ｓ１３の内側部に設けられた接合処理剤をＧ１３‘で示している。尚、前記接合処理発明スカート部Ｓ１３と床材の表面との隙間部分のみを接合処理すれば、少ない接合処理剤で前記隙間部分を塞ぐことができコスト面でも有効である。さらに、張出部１３２の裏面と床材１３７の表面との間隙をより確実に塞ぐために、スカート部Ｓ１３の内側部、及び外側部の双方に対して接合処理を行ってもよい。
【０１０７】
さらに、張出部１３２の裏面と床材１３７の表面との隙間が大きい場合でも、スカート部Ｓ１３によって当該隙間を覆い隠すことができ、加えて、また、スカート部Ｓ１３の突出している長さは床材表面の凹凸の追従することができ、スカート部Ｓ１３の内側部、及び／又は外側部にシーリング剤等の充填処理等の接合処理ができれば、特に限定はされないが、床材１３７の表面のエンボス等の凹凸への追従性、及び張出部裏面と床材表面間の間隙を覆うという観点から、０．２ｍｍ〜５ｍｍが好ましく、０．３ｍｍ〜２．５ｍｍがさらに好ましい。また、張出部裏面に設けられるスカート部は一つでもよいし、２つ以上設けてもよい。
【０１０８】
また、本発明ドレイン排水溝部材の他の実施形態として、張出部の先端部に下方に突出したスカート部を設けてもよい。図１４は本発明ドレイン排水溝部材の他の実施形態として、張出部の先端部に下方に突出したスカート部を設けた一例の部分断面図を示す。また、図１５は張出部の先端部に下方に突出したスカート部を設けた他の実施形態の本発明ドレイン排水溝部材と床材との一例のドレイン排水床構造の部分断面図を示す。図１４に示すようにスカート部Ｓ１４が設けられ、床材と施工した場合、図１５に示すように、スカート部Ｓ１５が床材の凹凸に追従するように構成されている。従って、張出部１５２の裏面と床材１５７の表面との隙間を前記スカート部Ｓ１５を床材表面の凹凸等表面状態にかかわらず、覆うことができる。また、シーリング剤等による接合処理は上述した実施形態と同様、スカート部Ｓ１５の外側部、又は内側部、さらには、外側部、及び内側部の双方で行ってもよい。
【０１０９】
さらに、本発明ドレイン排水溝部材の他の実施形態として、張出部の裏面、及び先端部の双方にスカート部を設けてもよい（図示せず）。張出部の裏面、及び先端部の双方にスカート部を設けることにより、張出部裏面と床材表面との隙間を塞ぐ効果を向上させることができる。即ち、本発明ドレイン排水溝部材は張出部の裏面、及び先端部の双方にスカート部を設けてられていることから、少なくとも複数のスカート部を有しているため、張出部の裏面と床材表面との隙間の被覆性が向上させることができ、さらに、各スカート部の外側部、若しくは内側部、又はそれらの双方について、シーリング剤等による接合処理を行えば、張出部裏面と床材表面との隙間を塞ぐ効果を向上させることができる。加えて、本発明ドレイン排水溝部材と隣接する床材との貼着安定性も向上させることができる。
【０１１０】
本発明ドレイン排水溝部材の他の実施形態として、排水路に上方から塞ぐための平板状の蓋部材が設けてもよい（図示せず）。前記排水路を蓋部材で塞ぐことにより、ドレイン水の風による床面への飛散や外部からの埃、砂等の排水路への進入を有効に防止することができ、実用上非常に有効であり、メンテナンス面でも頻繁に排水路に溜まった埃、砂等を排除する必要がない。本発明ドレイン排水溝部材に設ける蓋部材は排水路を上方から覆うように、一体的に構成されていても、脱着可能に構成されていてもよい。
【０１１１】
本発明ドレイン排水溝部材の排水路と一体的に構成する場合にはあらかじめ一体成型して蓋部材を設けてもよいし、接着剤等の貼着剤を用いて、別途排水路上方に蓋部材を設けてもよい。脱着可能に設ける場合には、公知の任意の構成を用いることができるが、嵌合、マジックテープ等構成を用いることが好ましい。嵌合によって蓋部材を脱着可能にする構成は、排水路を形成する両側部の上縁部に凹部を設け、蓋部材の裏面、即ち、排水路側に面する面の凸部を設けて嵌合可能にすることが好ましい。また、排水路を形成する両側部の上縁部に凸部を設け、蓋部材の裏面に前記凸部と嵌合可能な凹部を設けることも好ましい。尚、排水路を形成する両側部の上縁部に設ける凸部に代えて、排水路を構成する両側部の上縁部を蓋部材に設けられた凹部と嵌合させて脱着可能にしてもよい。
【０１１２】
さらに、本発明ドレイン排水溝部材に蓋部材を設ける場合には、ドレインホース差込孔部とドレイン排水溝部材の排水路を上方から塞ぐ蓋体から構成されているドレインホース連結具を蓋部材とともに装着することが好ましい。図１６に本発明ドレイン排水溝部材に装着する一例のドレインホース連結具を示す。図１６で示すように、円筒形状のドレインホース差込孔部１６１と平板状の蓋体１６２から構成されている。
【０１１３】
前記ドレインホース連結具を構成する蓋体１６２は、装着容易性の観点から本発明ドレイン排水溝部材の蓋部材と同様な構成にすることが好ましい。例えば、蓋部材に被嵌合部となる溝部が設けられている場合には、ドレインホース連結具を構成する蓋体１６２にも被嵌合部となる溝部を設ける。尚、あらかじめ、蓋部材とともに排水路と一体化させてもよい。
【０１１４】
また、本発明ドレイン排水溝部材の他の実施形態として、蓋部材が通水部材に対して、長手方向にスライドして脱着可能としてもよい。図１７に本発明ドレイン排水溝部材の他の実施形態として、蓋部材が通水部材に対して、長手方向にスライドして脱着可能とした一例の断面図を示す。両側部に溝部Ｍ１７、Ｍ１７‘が形成されており、蓋部材１７０の両縁部が当該溝部Ｍ１７、Ｍ１７’に挿入することによって、スライドして脱着可能になっている。蓋部材１７０がスライドによって脱着可能となっているため、脱着が容易であり、排水路のメンテナンスの際にも非常に便利である。
【０１１５】
また、本発明ドレイン排水溝部材の他の実施形態として、蓋部材の両縁部に形成された溝部に、排水路を形成する両側部に設けられた凸部を挿入することによって、通水部材に対してスライドするようにしてもよい（図示せず）。蓋部材がスライドによって脱着可能となっているため、脱着が容易であり、排水路のメンテナンスの際にも非常に便利である。
【０１１６】
また、本発明ドレイン排水部材の他の実施形態として、排水路を形成する両側部から前記排水路の内側に向かって突出部を設けてもよい。図２２に本発明ドレイン排水溝部材の他の実施形態として、排水路を形成する両側部から前記排水路の内側に向かって突出部が設けた一例の断面図を示す。また、図２３に本発明ドレイン排水溝部材の他の実施形態として、排水路を形成する両側部から前記排水路の内側に向かって突出部が設けた一例の部分断面図を示す。図２２に示すように、両側部から突出部Ｔ２２、２２‘が設けられている。当該突出部Ｔ２２、２２’により、排水路２２３を流れるドレイン水が蓋部材２２０と嵌合するスライド部分、即ち、溝部Ｍ２２、２２‘から漏れて溢れ出すのを有効に防止することができる。
【０１１７】
また、前記構造によれば、図２３に示す蓋部材２３０に踏圧等上からの力が加わっても突出部Ｔ２３が前記蓋部材２３０を保持する効果があるので、蓋部材２３０の凹み具合を効果的に防止することができる。従って、突出部Ｔ２３の幅、即ち、両側部から排水路内側に向かって突出している長さを調整することにより、上記スライド部分からのドレイン水の漏れ等の防止効果、及び蓋部材の上からの力に対する保持効果を任意に調節することも可能である。
【０１１８】
さらに、図２３において、図示するように突出部は蓋部材の裏面に沿った状態で設けてもよいが、突出部の先端部分が蓋部材の裏面に向かって突出している構造であってもよい。図２７に本実施形態の一例の断面図を示す。図２７に示すように、突出部Ｔ２７，２７‘の先端部分が蓋部材２７０の裏面に向かって突出している。
【０１１９】
この構造によっても、上述したドレイン水の漏れ等の防止、及び蓋部材の保持による蓋部材の凹み低減の効果は奏することができるからである。
【０１２０】
さらに、突出部Ｔ２７，２７‘の先端部分は蓋部材２７０の裏面に当接していても当接していなくともよいが、当接している方が排水路の水密性がより向上し、スライド部分からのドレイン水の漏れ等をより有効に防止することができる。
【０１２１】
また、突出部は少なくともその一部が蓋部材に踏圧等上からの力が加わったとき、支持可能なように設けても良い。例えば、突出部が湾曲形状であって、当該突出部の腹部分、即ち、先端部以外の部分が蓋部材に踏圧等上からの力が加わった場合に支持するように設けても良い。尚、この場合でも蓋部材と突出部が当接してもしなくてもいずれでも良いが、当接している方が排水路の水密性がより向上し、スライド部分からのドレイン水の漏れ等をより有効に防止することができる。
【０１２２】
また、本発明ドレイン排水部材の他の実施形態として、蓋部材の両縁部が上向き及び／又は下向きの突部を有しており、排水路の両側部の溝部に前記突部が嵌合可能な凹部が設けられており、前記蓋部材の両縁部の突部が前記排水路の両側部の溝部に設けられた凹部に嵌合させた状態で、前記溝部に挿入されるようにしてもよい。図２４に本発明ドレイン排水溝部材の他の実施形態として、蓋部材の両縁部が下向きの突部を有しており、排水路の両側部の溝部に前記突部が嵌合可能な凹部が設けられており、前記蓋部材の両縁部の突部が前記排水路の両側部の溝部に設けられた凹部に嵌合させた状態で、前記溝部に挿入される形態の一例の部分断面図を示す。蓋部材２４０の縁部に突部ｔ２４が設けられている。一方、通水部材の側部には前記突部ｔ２４を有した蓋部材の縁部が嵌合し、かつスライドにより脱着可能なように溝部Ｍ２４に上開きの凹部ｍ２４が形成されている。
【０１２３】
この構造によれば、蓋部材２４０の縁部に設けられた突部ｔ２４と、通水部材の側部の溝部Ｍ２４に設けられた凹部ｍ２４とが嵌合しているため、当該溝部Ｍ２４における蓋部材２４０と通水部材の装着状態を安定化させることができ、また、ドレイン水がスライド部分、即ち、溝部Ｍ２４から漏れて溢れ出すことを有効に防止することができる。
【０１２４】
さらに、蓋部材両縁部に上向き、及び下向きの突部を設け、通水部材の両側部に設けられた溝部に前記突部と嵌合可能な凹部を形成してもよい。
【０１２５】
この構造によれば、蓋部材の両縁部の上下双方で蓋部材の突部、及び通水部材の両側部の溝部の凹部が嵌合して通水部材と装着されるため、より安定的に蓋部材を通水部材に装着することができ、ドレイン水が通水部材の両側部に設けられたスライド部分、即ち、溝部から漏れ、溢れ出すことをより有効に防止することができる。
【０１２６】
また、本発明ドレイン排水部材の他の実施形態として、蓋部材の両縁部が上開き及び／又は下開きの凹部を有しており、排水路の両側部の溝部に前記凹部が嵌合可能な突部が設けられており、前記蓋部材の縁部の凹部が前記排水路の両側部の溝部に設けられた突部に嵌合させた状態で、前記溝部に挿入されるようになっている形態であってもよい。図２５に本発明ドレイン排水溝部材の他の実施形態として、蓋部材の両縁部が下開きの凹部を有しており、排水路の両側部の溝部に前記凹部が嵌合可能な突部が設けられており、前記蓋部材の両縁部の凹部が前記排水路の両側部の溝部に設けられた突部に嵌合させた状態で、前記溝部に挿入される形態の一例の部分断面図を示す。図２５に示すように、蓋部材２５０の縁部に凹部ｍ２５が設けられている。一方、通水部材の側部には前記凹部ｍ２５を有した蓋部材の縁部が嵌合し、かつスライドにより脱着可能なように突部ｔ２５が形成されている。
【０１２７】
この構造によれば、蓋部材２５０の縁部に設けられた凹部ｍ２５と、通水部材の側部の溝部Ｍ２５に設けられた突部ｔ２５とが嵌合しているため、当該溝部Ｍ２５における蓋部材２５０と通水部材の装着状態を安定化させることができ、また、ドレイン水がスライド部分、即ち、溝部Ｍ２５から漏れて溢れ出すことを有効に防止することができる。
【０１２８】
さらに、蓋部材の縁部に設けられた凹部が上開き、及び下開きの双方に設けられ、通水部材の側部に設けられた溝部に前記凹部と嵌合可能な突部を設けてもよい（図示せず）。
【０１２９】
この構造によれば、蓋部材の縁部の上下双方で蓋部材の凹部、及び通水部材の溝部の突部が嵌合して通水部材と装着されるため、より安定的に蓋部材を通水部材に装着することができ、ドレイン水が通水部材の側部に設けられたスライド部分、即ち、溝部から漏れ、溢れ出すことをより有効に防止することができる。
【０１３０】
さらに、本発明ドレイン排水部材の他の実施形態として、蓋部材の両縁部が、断面波形形状を有しており、排水路の両側部の溝部が、前記縁部が嵌合する断面波形形状を有しており、前記蓋部材の両縁部が、波形形状同士を嵌合させた状態で、前記溝部に挿入されるようになっている形態のであってもよい。図２６に蓋部材の両縁部が、断面波形形状を有しており、排水路の両側部の溝部が、前記両縁部が嵌合する断面波形形状を有しており、前記蓋部材の両縁部が、波形形状同士を嵌合させた状態で、前記溝部に挿入される形態の一例の部分断面図を示す。図２６で示すように、蓋部材２６０の縁部の断面波形状を有しており、排水路２６３の側部に設けられた溝部が前記蓋部材２６０の縁部の断面波形状と嵌合、スライド、及び脱着が可能となっている。
【０１３１】
この構造によれば、通水部材の溝部Ｍ２６に形成された断面波形状部Ｎ２６と蓋部材２６０の縁部に形成された断面波形状部ｎ２６同士が嵌合しているため、溝部Ｍ２６における蓋部材２６０と通水部材との装着状態を安定させることができ、また、ドレイン水がスライド部分、即ち、溝部Ｍ２６から漏れて溢れ出すのを防止できる。
【０１３２】
また、両側部に設けられた溝部を水平に対して傾斜して形成してもよい（図２２、２７参照）。溝部が傾斜しているため、蓋部材に応力が働き、踏圧等上からの圧力があっても、蓋部材が外れにくく安定的に装着させておくことができる。
【０１３３】
さらに、本発明ドレイン排水部材の他の実施形態として、排水路が中央の幅狭領域と、その幅狭領域を含む幅広領域とを有するようにしてもよい（図示せず）。この排水路では底部の中央に一段低い排水路が形成されており、これにより排水路は中央の幅狭領域と当該幅狭領域とを含む幅広領域を有している。
【０１３４】
この構造によれば、ドレイン水が少ない場合にはドレイン水を幅狭領域に流し、ドレイン水が多い場合にはドレイン水を幅広領域に流すことにより、排水路が不必要に広く使用されることを回避できる。従って、メンテナンスを簡素に行うことができる。
【０１３５】
また、本発明ドレイン排水溝部材の他の実施形態として、排水路の底部に複数のリブを設けてもよい。図１８に本発明ドレイン排水溝部材の他の実施形態として、排水路の底部に複数のリブを設けた一例の断面図を示す。図１８に示すように、底部１８４に複数のリブＬ１８が形成されているため、ドレイン水の導水を円滑に行うことができ、ドレイン水の流量が多い場合であっても、排水路１８３からドレイン水が溢れ出ることがない。
【０１３６】
さらに、排水路に蓋部材を有する場合には、底部に設けられたリブによって、上方からの踏圧等の圧力が加わっても蓋部材が大きく変形することがなく、本発明ドレイン排水溝部材の排水性能を維持することができる。
【０１３７】
また、本発明ドレイン排水溝部材の他の実施形態として、蓋部材の裏面に複数のリブを設けてもよい（図示せず）。上述した排水路の底面にリブを設けた場合と同様、蓋部材裏面に設けられたリブによって、上方からの踏圧等の圧力が加わっても蓋部材が大きく変形することがなく、本発明ドレイン排水溝部材の排水性能を維持することができる。さらに、蓋部材に設けられたリブが排水路を流れるドレイン水に達する程度の高さを有している場合には、上記効果に加え、ドレイン水の導水性の向上に寄与することができる。
【産業上の利用可能性】
【０１３８】
本発明ドレイン排水溝部材はドレイン水を円滑に導水することができるほか、容易に施工できるため、施工上の作業負担が著しく軽減することができる。さらに、本発明ドレイン排水溝部材と床材との縁部は従来の熱溶着が可能であることに加え、シーリング剤等の接合処理剤の充填処理に適した構造を有しているため、施工作業者の熟練を要さず確実に接合処理を行うことができ産業上の利用価値はきわめて高いものである。
【図面の簡単な説明】
【０１３９】
【図１】本発明ドレイン排水溝部材と床材との一例のドレイン排水床構造の部分斜視図を示す。
【図２】本発明ドレイン排水溝部材の一例の断面図を示す。
【図３】本発明ドレイン排水溝部材と床材との一例のドレイン排水床構造の部分断面図を示す。
【図４】本発明ドレイン排水溝部材の空間部に床材が挿設された本発明ドレイン排水床構造の一例の部分断面図を示す。
【図５】本発明ドレイン排水溝部材の空間部に床材が挿設された本発明ドレイン排水床構造の他の一例の部分断面図を示す。
【図６】本発明ドレイン排水溝部材の他の実施形態である下縁張出部を設けた一例の部分断面図を示す。
【図７】下縁張出部を設けた本発明ドレイン排水溝部材と床材との一例のドレイン排水床構造の部分断面図を示す。
【図８】本発明ドレイン排水溝部材の他の実施形態である両側部の外面と張出部の裏面とのなす角度が鋭角にした一例の部分断面図を示す。
【図９】両側部の外面と張出部の裏面とのなす角度が鋭角にした本発明ドレイン排水溝部材と床材との一例のドレイン排水床構造の部分断面図を示す。
【図１０】本発明ドレイン排水溝部材の他の実施形態である両側部の外面と張出部の裏面とから形成されたコーナー部に溝部を設けた一例の部分断面図を示す。
【図１１】両側部の外面と張出部の裏面とから形成されたコーナー部に溝部を設けた本発明ドレイン排水溝部材と床材との一例のドレイン排水床構造の部分断面図を示す。
【図１２】本発明ドレイン排水溝部材の他の実施形態である張出部の裏面に下方に突出したスカート部を設けた一例の部分断面図を示す。
【図１３】張出部の裏面に下方に突出したスカート部を設けた本発明ドレイン排水溝部材と床材との一例のドレイン排水床構造の部分断面図を示す。
【図１４】本発明ドレイン排水溝部材の他の実施形態である張出部の先端部に下方に突出したスカート部を設けた一例の部分断面図を示す。
【図１５】張出部の先端部に下方に突出したスカート部を設けた他の実施形態の本発明ドレイン排水溝部材と床材との一例のドレイン排水床構造の部分断面図を示す。
【図１６】本発明ドレイン排水溝部材に装着する一例のドレインホース連結具の斜視図を示す。
【図１７】本発明ドレイン排水溝部材の他の実施形態である蓋部材が通水部材に対して、長手方向にスライドして脱着可能とした一例の断面図を示す。
【図１８】本発明ドレイン排水溝部材の他の実施形態である排水路の底部に複数のリブを設けた一例の断面図を示す。
【図１９】従来のドレイン排水溝部材の床材との一例のドレイン排水床構造の部分断面図を示す。
【図２０】本発明ドレイン排水溝部材の他の実施形態である張出部先端に接合処理部を設けた一例の部分断面図を示す。
【図２１】張出部先端に接合処理部を設けた他の実施形態の本発明ドレイン排水溝部材と床材との一例のドレイン排水床構造の部分断面図を示す。
【図２２】本発明ドレイン排水溝部材の他の実施形態として、排水路を形成する両側部から前記排水路の内側に向かって突出部が設けた一例の断面図を示す。
【図２３】本発明ドレイン排水溝部材の他の実施形態として、排水路を形成する両側部から前記排水路の内側に向かって突出部が設けた一例の部分断面図を示す。
【図２４】本発明ドレイン排水溝部材の他の実施形態として、蓋部材の両縁部が下向きの突部を有しており、排水路の両側部の溝部に前記突部が嵌合可能な凹部が設けられており、前記蓋部材の両縁部の突部が前記排水路の両側部の溝部に設けられた凹部に嵌合させた状態で、前記溝部に挿入される形態の一例の部分断面図を示す。
【図２５】本発明ドレイン排水溝部材の他の実施形態として、蓋部材の両縁部が下開きの凹部を有しており、排水路の側部の溝部に前記凹部が嵌合可能な突部が設けられており、前記蓋部材の縁部の凹部が前記排水路の側部の溝部に設けられた突部に嵌合させた状態で、前記溝部に挿入される形態の一例の部分断面図を示す。
【図２６】本発明ドレイン排水溝部材の他の実施形態として、蓋部材の両縁部が、断面波形形状を有しており、排水路の両側部の溝部が、前記両縁部が嵌合する断面波形形状を有しており、前記蓋部材の両縁部が、波形形状同士を嵌合させた状態で、前記溝部に挿入される形態の一例の部分断面図を示す。
【図２７】本発明ドレイン排水溝部材の他の実施形態として、排水路を形成する両側部から前記排水路の内側であって、蓋部材の裏面に向かって突出部が設けた一例の部分断面図を示す。
【符号の説明】
【０１４０】
１、２１、３１、４１、５１、６１、７１、８１、９１、１０１、１１１、１２１、１３１、１４１、１５１：本発明ドレイン排水溝部材
２、２‘、２２、３２、３２‘、４２、５２、６２、７２、８２、９２、１０２、１１２、１２２、１３２、１４２、１５２、１８２、１８２’：張出部
３、２３、１８３：排水路
４、２４、３４、６４、７４、８４、１０４、１１４、１２４、１３４、１４４、１５２、１８４：底部
５、５‘７、３７、３７‘、４７、５７、７７、９７、１０７、１１７、１３７、１５７：床材
６、６‘、２６、３６、４６、６６、７６、８６、９６、１０６、１１６、１２６、１３６、１４６、１５６、１８６、１８６‘２０６、２１６：両側部
６８下縁張出部
２７、６７、８７、１０７、１２７、１４７、１８７、１８７‘：空間部
１６１：ドレインホース差込孔部
１６２：蓋体
１７０：蓋部材
２０８：接合処理部
Ｄ１０：溝部
Ｇ３、Ｇ３‘、Ｇ４、Ｇ５、Ｇ７、Ｇ９、Ｇ１１、Ｇ１３、Ｇ１３’、Ｇ１５、Ｇ２１：接合処理剤
ｌ：両側部外面から床材縁部までの距離
Ｌ１８：リブ
Ｍ１７、Ｍ１７‘：両側部の溝部
Ｓ１２、Ｓ１３、Ｓ１４、Ｓ１５：スカート部
Ｔ２２、Ｔ２２‘、Ｔ２３、Ｔ２７、Ｔ２７’：突出部
ｗ：張出部幅
ｗ２０：接合処理部の幅
【図１】
2007113180.tif 000003
【図２】
2007113180.tif 000004
【図５】
2007113180.tif 000005
【図６】
2007113180.tif 000006
【図７】
2007113180.tif 000007
【図８】
2007113180.tif 000008
【図９】
2007113180.tif 000009
【図１０】
2007113180.tif 000010
【図１１】
2007113180.tif 000011
【図１２】
2007113180.tif 000012
【図１３】
2007113180.tif 000013
【図１４】
2007113180.tif 000014
【図１５】
2007113180.tif 000015
【図１６】
2007113180.tif 000016
【図１７】
2007113180.tif 000017
【図１８】
2007113180.tif 000018
【図１９】
2007113180.tif 000019
【図２０】
2007113180.tif 000020
【図２１】
2007113180.tif 000021
【図３】
2007113180.tif 000022
【図４】
2007113180.tif 000023
【図２２】
2007113180.tif 000024
【図２３】
2007113180.tif 000025
【図２４】
2007113180.tif 000026
【図２５】
2007113180.tif 000027
【図２６】
2007113180.tif 000028
【図２７】
2007113180.tif 000029